(57)【特許請求の範囲】
【請求項１】
左右に立設された縦枠と該縦枠に嵌め込まれたガラス板と電気錠とを有するドアパネルと、該ドアパネルに隣接する間仕切パネルにより空間を任意の領域に仕切るパネル装置であって、
前記ドアパネルの縦枠には、非接触リーダを備えて前記電気錠に施錠又は開錠信号を出力するリーダユニットが収納される収納ケースが、前記非接触リーダが前記空間の内側から前記ガラス板と対向した状態で取付けられており、
前記縦枠は、前記ドアパネル外側の外側側面と該外側側面と対向する前記ドアパネル内側の内側側面を有しており、前記外側側面には第１開口部が、前記内側側面には該第１開口部と連通し対向する第２開口部がそれぞれ設けられており、前記収納ケースは前記第２開口部の周縁に対して取り付けられ、前記収納ケース内の前記リーダユニットを、前記第１開口部を介して前記ドアパネルの外側から出し入れ可能となっていることを特徴とするパネル装置。
【請求項２】
前記非接触リーダは、前記ガラス板と略平行に設けられた前記収納ケース内の溝部に配置されていることを特徴とする請求項１に記載のパネル装置。
【請求項３】
前記収納ケースには、電気錠が収納されていることを特徴とする請求項１または２に記載のパネル装置。
【請求項４】
前記収納ケースは、２枚のガラス板に挟まれた状態で前記縦枠に取付けられていることを特徴とする請求項１ないし３のいずれかに記載のパネル装置。
【請求項５】
前記収納ケースは、前記ドアパネルの前面側に可視光を遮り、その他の電磁波を透過する電磁波透過材が配されていることを特徴とする請求項１ないし４のいずれかに記載のパネル装置。
【請求項６】
電気錠を有するドアパネルと、該ドアパネルに隣接し左右に立設された縦枠と該縦枠に嵌め込まれたガラス板を有する間仕切パネルにより空間を任意の領域に仕切るパネル装置であって、
前記間仕切パネルの縦枠には、非接触リーダを備えて前記電気錠に施錠又は開錠信号を出力するリーダユニットが収納される収納ケースが、前記非接触リーダが前記空間の内側から前記ガラス板と対向した状態で取付けられており、
前記縦枠は、前記間仕切パネル外側の外側側面と該外側側面と対向する前記間仕切パネル内側の内側側面を有しており、前記外側側面には第１開口部が、前記内側側面には該第１開口部と連通し対向する第２開口部がそれぞれ設けられており、前記収納ケースは前記第２開口部の周縁に対して取り付けられ、前記収納ケース内の前記リーダユニットを、前記第１開口部を介して前記間仕切パネルの外側から出し入れ可能となっていることを特徴とするパネル装置。
【発明の詳細な説明】
【技術分野】
【０００１】
本発明は、オフィス等の空間を任意の領域に仕切るパネル装置に関する。
【背景技術】
【０００２】
オフィスやショールーム等の主に室内の空間は、その空間の利用目的に合わせて所望の広さに仕切るために、従来各種のパネル装置が用いられている。また、これらのパネル装置は、当該空間内に進入可能な人員を制限するために、パネル装置の一部に扉を設け、施錠及び開錠を行う電気錠と、電気錠を電気的に制御するカードリーダユニットとを当該扉の周囲に設けているものがある。
【０００３】
このような電気錠とカードリーダユニットが設けられた扉として、特許文献１には、スライド式自動ドアに関するものであるが、カードリーダユニットの一部を成すリーダライタを扉に隣接するパネル装置の一部である壁面に設け、これにＩＣカードをかざし、施錠及び開錠を行うものが開示されている。
【先行技術文献】
【特許文献】
【０００４】
【特許文献１】特開２０１２−３７９５７（第８頁、第２図）
【発明の概要】
【発明が解決しようとする課題】
【０００５】
特許文献１に記載の扉においては、扉に隣接する壁面に露出してリーダライタが設けられており、人や物がリーダライタにぶつかることでリーダライタが破損する虞があるばかりでなく、リーダライタが部屋の外部から取り外されたり、一部を分解されたりするような危険性があり、安全性の面で不十分な面があった。
【０００６】
本発明は、このような問題点に着目してなされたもので、電気錠の非接触リーダに対する安全性に優れるパネル装置を提供することを目的としている。
【課題を解決するための手段】
【０００７】
前記課題を解決するために、本発明のパネル装置は、
左右に立設された縦枠と該縦枠に嵌め込まれたガラス板と電気錠とを有するドアパネルと、該ドアパネルに隣接する間仕切パネルにより空間を任意の領域に仕切るパネル装置であって、
前記ドアパネルの縦枠には、非接触リーダを備えて前記電気錠に施錠又は開錠信号を出力するリーダユニットが収納される収納ケースが、前記非接触リーダが前記空間の内側から前記ガラス板と対向した状態で取付けられており、
前記縦枠は、前記ドアパネル外側の外側側面と該外側側面と対向する前記ドアパネル内側の内側側面を有しており、前記外側側面には第１開口部が、前記内側側面には該第１開口部と連通し対向する第２開口部がそれぞれ設けられており、前記収納ケースは前記第２開口部の周縁に対して取り付けられ、前記収納ケース内の前記リーダユニットを、前記第１開口部を介して前記ドアパネルの外側から出し入れ可能となっていることを特徴としている。
この特徴によれば、非接触リーダが空間の内側からガラス板と対向しているため、ガラス板を介して非接触リーダと通信し、リーダユニットに対して電気錠の施錠又は開錠を行うことが可能となっている。そのため、空間の外側にリーダユニットが露出しないため、リーダユニットが外部から取り外されたり、一部を分解されたりすることで、不正に電気錠が開閉される危険性がなく、安全性を確保することができる。また、人や物がぶつかることで、リーダユニットが損傷することを防止できる。
【０００８】
前記縦枠の側壁面には開口部が設けられており、該開口部は前記縦枠を介して前記リーダユニットを前記収納ケースに対して出し入れ可能な大きさの開口部が設けられていることを特徴としている。
この特徴によれば、ドアパネルの扉が開いた状態においては収納ケースにリーダユニットを出し入れできるが、ドアパネルの扉が閉まった状態においては収納ケースからリーダユニットを取り出すことができないため、非接触リーダの不正な取り外しや分解を防止し、安全性を確保することができる。
【０００９】
前記非接触リーダは、前記ガラス板と略平行に設けられた前記収納ケース内の溝部に配置されていることを特徴としている。
この特徴によれば、非接触リーダを溝部に配置することで、非接触リーダのガラス板までの距離を決めることができるため、非接触リーダの読み取り距離に合わせてガラス板との距離を管理することが容易となっている。
【００１０】
前記収納ケースには、前記電気錠が収納されていることを特徴としている。
この特徴によれば、電気錠とカードリーダユニットを同じ収納ケースに収納することで、シンプルな構造となり、美観に優れる。
【００１１】
前記収納ケースは、２枚のガラス板に挟まれた状態で前記縦枠に取付けられていることを特徴としている。
この特徴によれば、ガラス板が収納ケースの前後に位置するため、パネル装置の前後どちらからも収納ケースにアクセスすることができず、収納ケース内部のリーダユニットを保護できるとともに、ガラス板の表面に収納ケースの露出がないため、美観に優れる。
【００１２】
前記収納ケースは、前記ドアパネルの前面側に可視光を遮り、その他の電磁波を透過する電磁波透過材が配されていることを特徴としている。
この特徴によれば、収納ケースの前面側から内部を見せないように電磁波透過材により覆いながら、非接触リーダの前面にかざされたＩＣカードを確実に検知することができる。
【００１３】
前記課題を解決するために、本発明のパネル装置は、
電気錠を有するドアパネルと、該ドアパネルに隣接し左右に立設された縦枠と該縦枠に嵌め込まれたガラス板を有する間仕切パネルにより空間を任意の領域に仕切るパネル装置であって、
前記間仕切パネルの縦枠には、非接触リーダを備えて前記電気錠に施錠又は開錠信号を出力するリーダユニットが収納される収納ケースが、前記非接触リーダが前記空間の内側から前記ガラス板と対向した状態で取付けられており、
前記縦枠は、前記間仕切パネル外側の外側側面と該外側側面と対向する前記間仕切パネル内側の内側側面を有しており、前記外側側面には第１開口部が、前記内側側面には該第１開口部と連通し対向する第２開口部がそれぞれ設けられており、前記収納ケースは前記第２開口部の周縁に対して取り付けられ、前記収納ケース内の前記リーダユニットを、前記第１開口部を介して前記間仕切パネルの外側から出し入れ可能となっていることを特徴としている。
この特徴によれば、非接触リーダが空間の内側からガラス板と対向しているため、ガラス板を介して非接触リーダと通信し、リーダユニットに対して電気錠の施錠又は開錠を行うことが可能となっている。そのため、空間の外側にリーダユニットが露出しないため、リーダユニットが外部から取り外されたり、一部を分解されたりすることで、不正に電気錠が開閉される危険性がなく、安全性を確保することができる。また、人や物がぶつかることで、リーダユニットが損傷することを防止できる。
【図面の簡単な説明】
【００１４】
【図１】実施例１におけるパネル装置を示す俯瞰図である。
【図２】実施例１におけるドアパネルの開閉装置を示す拡大図である。
【図３】実施例１におけるドアパネルの開閉装置を示す分解図である。
【図４】実施例１におけるドアパネルの収納ケースを示す分解図である。
【図５】実施例１におけるパネル装置の配線状態を示す概念図である。
【図６】実施例２におけるパネル装置を示す俯瞰図である。
【図７】実施例２における間仕切りパネルの（ａ）開閉装置を示す俯瞰図、（ｂ）開閉装置の分解図である。
【図８】実施例２におけるパネル装置の配線状態を示す概念図である。
【発明を実施するための形態】
【００１５】
本発明に係るパネル装置を実施するための形態を実施例に基づいて以下に説明する。
【実施例１】
【００１６】
実施例１に係るパネル装置につき、図１から図５を参照して説明する。以下、図５の紙面手前をパネル装置の前面側、紙面左右をパネル装置の左右として説明する。
【００１７】
図１に示されるように、パネル装置１００は、ドアパネル１と間仕切りパネル２０とから構成されて、主に室内のオフィス空間やショールーム等の各種作業スペースを、作業の目的に合わせて所望の広さに区分けするものであり、このドアパネル１を開閉することで、パネル装置１００により区分けされた作業スペース内部Ｘ（図１における手前側：内側の空間）と外部Ｙ（図１における奥側：外側の空間）との出入りが可能となっている。
【００１８】
ドアパネル１は、前後に並行に配置された２枚のガラス板４，４、これらがスリット２ｂ，２ｂに嵌め込まれる縦枠２，２、及びガラス板４，４の上下を保持する横枠３，３により構成されるガラス戸板５、及びこのガラス戸板５を開閉操作するための開閉装置６により構成されている。開閉装置６は、ガラス戸板５の左端で上下方向に中央よりも若干下方に取付けられている。尚、横枠３，３は省略することができる。
【００１９】
間仕切りパネル２０は、左右に立設される縦枠２２，２２と、縦枠２２の上下端から延び、天井及び床に沿って設けられる横枠２３，２３と、縦枠２２，２２と横枠２３，２３
に嵌め込まれて、作業スペースの内部側と外部側に配置される２枚のガラス板２４（内部側は図示略）を備えている。
【００２０】
図２及び図３に示されるように、開閉装置６は、シリンダ８、レバーハンドル９及び電気錠１２により主に構成され、シリンダ８及びレバーハンドル９が、収納ケース７の内部に収納された電気錠１２とガラス板４を介して接続されている。収納ケース７はガラス戸板５の縦枠２に固定された状態で２枚のガラス板４，４の前後方向の間に介挿されて配置されている。このようにガラス板４を介してレバーハンドル９が接続されていることで、収納ケース７がガラス板４，４の間に配置されていても、外部及び内部からガラス戸板５を開閉できる構造となっている。
【００２１】
図３及び図４に示されるように、収納ケース７は略矩形のケース本体７ａの内部に電気錠１２と、リーダライタ１３（非接触リーダ）及び処理基板１４により構成されるカードリーダユニット１５を主に収納し、可視光を遮りかつその他の電磁波を透過するアクリル製のアクリルプレート１０，１０によりその前後を覆われている。また、ケース本体７ａの上下方向略中央には、ケース本体７ａの内部を仕切る仕切り板７ｂが設けられており、仕切り板７ｂの上方にカードリーダユニット１５が、下方に電気錠１２がそれぞれ収納されている。
【００２２】
図５に示されるように、ドアパネル１の上方の天井内部には制御装置１７が設けられている。この制御装置１７はカードリーダユニット１５から繋がる入力ラインＡ（破線）及び電気錠１２に繋がる出力ラインＢ（実線）がドアパネル１の縦枠２及び横枠３の内部に挿通されている。これらの信号ラインＡ，Ｂを介してカードリーダユニット１５、制御装置１７、電気錠１２が制御装置１７に電気的に接続された状態となっている。
【００２３】
所定のキー情報を備えたＩＣカード（図示せず）がリーダライタ１３にかざされると、リーダライタ１３と電気的に接続された処理基板１４がそのキー情報に基づきリーダライタ１３から出力された信号を送信可能に処理し、後述する電気配線を介して制御装置１７に電気信号を送る。そして、制御装置１７から電気錠１２に電気錠１２の開閉の指令信号が送られることで、電気錠１２の開錠状態又は施錠状態を操作できる構造となっている。（図５参照）
【００２４】
電気錠１２には、その内部にラッチボルトと一体のデッドボルト１２ａが格納されている。デッドボルト１２ａは、開錠状態においては、レバーハンドル９の操作により、左右方向に進退可能となっており、これによりガラス戸板５の縦枠２と隣接する間仕切りパネル２０の縦枠２２（図１参照）に設けられた受座（図示せず）と係合又は係合解除が可能となっている。
【００２５】
施錠状態においては、デッドボルト１２ａは、前述の制御装置１７からの指令信号に従い、ガラス戸板５から左側に位置する縦枠２２に設けられた受座に向けて突き出した状態でロックされることで、ガラス戸板５を縦枠２２に対して開閉不能に固定できる構造となっている。また電気錠１２に電気的な不具合が発生した際には、シリンダ８の内部に設けられた鍵穴（図示せず）に鍵を挿入して物理的に施錠状態又は開錠状態を操作できる構造となっている。
【００２６】
ガラス戸板５への収納ケース７の配置状態について詳述すると、図４に示されるように、ガラス戸板５の縦枠２の側面２ａには開口部１６が設けられている。この開口部１６は収納ケース７のケース本体７ａよりも小さく形成されている。
【００２７】
開閉装置６の配置の手順としては、収納ケース７ａを縦枠２のドアパネル１外側の側面２ａとは反対側のドアパネル１内側の側面２ｃの開口部２ｄを取り囲むように取り付け、固定ネジ（図示せず）を用いて縦枠２に固定する。開口部２ｄは開口部１６と比べて左右幅が同寸法かつ上下寸法が小さい開口を例に説明しているが、その大きさは特に問わない。次に、縦枠２の側面２ａ側から開口部１６を介して電気錠１２、カードリーダユニット１５をケース本体７ａに挿入することで収納し、アクリルプレート１０，１０により前後に蓋をする。この後に、縦枠２の前後にガラス板４，４を嵌め込むことにより取付ける。これにより、ガラス板４，４に挟まれた状態で収納ケース７が所定の位置に配置されることになる。最後に、板状のフロント１１を側面２ａに被せ、固定ネジ（図示せず）等の固定手段を用いて縦枠２の側面２ａに固定することで、収納ケース７の配置作業が完了する。
【００２８】
尚、フロント１１は複数のプレートで構成されていてもよく、例えば、電気錠１２用とカードリーダユニット１５用の２枚のプレートで構成されていてもよい。更に尚、開口部１６を収納ケース７のケース本体７ａよりも大きく形成しておき、ガラス板４，４を縦枠２に嵌め込んで設置した後に、予めアクリルプレート１０，１０で蓋をされたケース本体７ａを開口部１６を介して縦枠２の側面２ａ側（右側方）から挿入した後に縦枠２の側面２ａ側から縦枠２にネジ固定し、電気錠１２、カードリーダユニット１５をケース本体７ａの内部に、開口部１６を介して側面２ａ側から挿入することで収納してもよい。また、収納ケース７ａ及びフロント１１の縦枠２への固定は固定ネジによる手段に限られない。
【００２９】
収納ケース７の仕切り板７ｂの上面には、前後方向略中央に、ガラス板４，４と略平行な案内溝７ｍが設けられている。この案内溝７ｍは、カードリーダユニット１５を構成する処理基板１４が配置される際に、その位置を案内するためのものである。この案内溝７ｍにより案内されることで、処理基板１４とともに配置されるリーダライタ１３の前後方向の位置が決められる。すなわち、リーダライタ１３の姿勢が案内溝７により安定するとともに、リーダライタ１３の読み取り距離を考慮して、その前面にＩＣカードがかざされる前後面側のガラス板４，４との位置関係を適切に管理することが容易となっている。
【００３０】
以上説明した通り、リーダライタ１３が作業スペースの外部側のガラス板４と対向しているため、外部側のガラス板４を介してＩＣカードをリーダライタ１３にかざすことで、カードリーダユニット１５に対して電気錠１２の開閉操作をすることが可能となっており、外部Ｙ側のガラス板４の外表面にカードリーダユニット１５が露出しないため、リーダライタ１３が外部から取り外されたり、一部を分解されたりすることで、不正に電気錠１２が開閉される危険性がなく、安全性を確保することができる。また、人や物がぶつかることによるカードリーダユニット１５の損傷を防止できる。
【００３１】
また、縦枠２の側面２ａに設けられた開口部１６からケース本体７ａの内部にカードリーダユニット１５及び電気錠１２を挿入することで収納できる構造としている。このため、ガラス戸板５が閉まっている状態においては、隣接する間仕切りパネル２０の縦枠２２により縦枠２の側面２ａが露見しないことから、カードリーダユニット１５及び電気錠１２にアクセスすることができないため、これらを部屋の外部から取り外されたり、一部を分解されたりするような危険性がなく、安全性を確保することができる。
【００３２】
また、電気錠１２とカードリーダユニット１５が同じ収納ケース７に収容されていることで、構造がシンプルになり美観を奏するとともに、取付け作業やメンテナンスを行う際に、まとめて行うことができ、作業性を確保することができる。
【００３３】
また、作業スペースの内部Ｘ側にもガラス板４が配置されているため、ガラス板４，４により挟まれた状態で収納ケース７が配置されている。このため、ガラス板４，４の前後の外表面にカードリーダユニット１５の露出がなく、美観を奏するとともに、人や物がぶつかることによるカードリーダユニット１５の損傷を防止できる。
【００３４】
また、ケース本体７ａの前後には可視光を通さず、その他の電磁波を透過するアクリルプレート１０，１０により蓋がされていることで、前面のガラス板４を介して内部が見えないようにしながらも、確実にＩＣカードを検知することができる。
【実施例２】
【００３５】
次に、実施例２に係るパネル装置につき、図６から図８を参照して説明する。以下、図８の紙面手前をドアパネルの前面側、紙面左右を間仕切りパネルの左右として説明する。尚、実施例１と同一の構成については、その説明を省略する。
【００３６】
図６に示されるように、パネル装置２００は、開閉装置２６を有する間仕切りパネル２１と、間仕切りパネル２１と隣接するドアパネル２５を備えている。ドアパネル２５は金属製のドアパネルとなっている。間仕切りパネル２１は、ドアパネル２５に隣接する縦枠２２にドアパネル２５の開閉装置２６を有している。尚、天井及び床に沿って設けられる横枠２３については、その構成を省略しても良い。
【００３７】
次に、図７（ａ）に示されるように、ドアパネル２５には、シリンダ２８及びレバーハンドル２９が設けられており、内部の電気錠（図示せず）と接続されている。このドアパネル２５の内部に設けられた電気錠と、開閉装置２６は後述の通り電気的に接続されているため、開閉装置２６に対するＩＣカードによる開閉操作により、ドアパネル２５の内部に設けられた電気錠の開閉が可能となっている。
【００３８】
次に、図７（ａ）及び（ｂ）に示されるように、開閉装置２６は収納ケース２７の内部に、リーダライタ１３（非接触リーダ）及び処理基板１４から成るカードリーダユニット１５が収納されている。収納ケース２７は、ケース本体２７ａの前後をアクリルプレート３０で蓋をされた状態でガラス板２４，２４の間に配置され、縦枠２２内側の側面２２ｃに固定されている。また、ケース本体２７ａの内部には、案内溝２７ｍが設けられており、この案内溝２７ｍにカードリーダユニット１５が案内された状態で配置されている。
【００３９】
次に、図８に示されるように、縦枠２２の上方の天井内部には制御装置１７が設けられている。この制御装置１７はカードリーダユニット１５から繋がる入力ラインＡ（破線）及び電気錠１２に繋がる出力ラインＢ（実線）が接続されている。これらの信号ラインを介してカードリーダユニット１５、制御装置１７、電気錠１２が電気的に接続された状態となっている。
【００４０】
以上説明した通り、リーダライタ１３が作業スペースの外部側のガラス板２４と対向しているため、外部側のガラス板２４を介してＩＣカードをリーダライタ１３にかざすことで、カードリーダユニット１５に対して電気錠１２の開閉操作をすることが可能となっており、外部Ｙ側のガラス板２４の外表面にカードリーダユニット１５が露出しないため、リーダライタ１３が外部から取り外されたり、一部を分解されたりすることで、不正に電気錠１２が開閉される危険性がなく、安全性を確保することができる。また、人や物がぶつかることで、カードリーダユニット１５が損傷することを防止できる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、上記実施例においては、非接触リーダとしてＩＣカードを用いて開閉操作を行うリーダライタ１３を備えたカードリーダユニット１５を使用しているが、非接触リーダとしては異なる態様であってもよい。例えばリモコンを使用して電波信号を送受するものや、撮像素子を用いてガラス板４または２４を介して一次元コードや二次元コードを読み取るものであってもよい。
【００４３】
また、上記実施例においては、縦枠２又は縦枠２２に２枚のガラス板４，４又は２４，２４がそれぞれ嵌入される態様について説明したが、ガラス板４，４又は２４，２４の枚数は一枚であってもよい。その場合について図３を用いて説明すると、ガラス板４は収納ケース７の前面側のガラス板４のみが配置されている構成となる。
【００４４】
また、上記実施例においては、リーダライタ１３と処理基板１４は別の部品としてカードリーダユニット１５を構成していたが、一体化されていてもよい。
【００４５】
また、上記実施例においては、制御装置１７を天井に格納している態様について説明したが、床下やその他の場所に格納しても良いし、制御装置１７がカードリーダユニット１５と一体化された構成を有していてもよい。
【００４６】
また、上記実施例においては、パネル装置が使用される空間として作業スペースについて説明したが、各種の作業が行われる空間に限られず、保管倉庫等で使用されるものであってもよい。
【００４７】
また、上記実施例においては、ガラス板４又は２４はケイ酸塩を主成分としたガラス製であったが、アクリルガラス等の樹脂ガラスであって電磁波を透過するものであればよい。
【符号の説明】
【００４８】
１                ドアパネル
２                縦枠
２ａ              縦枠外側側面（側壁面）
２ｃ              縦枠内側側面
２ｄ              縦枠開口部
４                ガラス板
６                開閉装置
７                収納ケース
７ａ              ケース本体（収納ケース）
７ｂ              仕切り板（収納ケース）
７ｍ              案内溝（溝部）
１０              アクリルプレート（収納ケース）
１２              電気錠
１３              リーダライタ（非接触リーダ）
１４              処理基板
１５              カードリーダユニット
１６              開口部
２０              間仕切りパネル
２１              間仕切りパネル
２２              縦枠
２２ｃ            縦枠内側側面
２４              ガラス板
２６              開閉装置
２７              収納ケース
２７ａ            ケース本体（収納ケース）
２７ｂ            仕切り板（収納ケース）
２７ｍ            案内溝（溝部）
３０              アクリルプレート（収納ケース）
１００，２００    パネル装置
Ｘ                作業空間の内部（空間の内側）
Ｙ                作業空間の内部（空間の外側）
【図１】
0006749089.tif 000002
【図２】
0006749089.tif 000003
【図３】
0006749089.tif 000004
【図４】
0006749089.tif 000005
【図５】
0006749089.tif 000006
【図６】
0006749089.tif 000007
【図７】
0006749089.tif 000008
【図８】
0006749089.tif 000009